(57)【要約】  本発明は、時計用の脱進機構に関するものである。この脱進機構は、がんぎ車（１）と、本体（２ａ）を有する脱進機アンカー（２）と、フォーク（５）と、を備えている。本体（２ａ）は、がんぎ車（１）と噛み合う歯止め（３、３’、４、４’）を備えている。本体（２ａ）は、がんぎ車（１）を配置するために、内部空間（１１）を画定することができる形状を有している。歯止め（３、３’、４、４’）は、内部空間（１１）に突出する２つの停止石（３、３’）および２つの衝撃石（４、４’）を備えている。脱進機構は、調整機器に固定されたローラー（６）のピン（７）を備えている。そして、ピン（７）がフォーク（５）と噛み合ったときに、がんぎ車（１）に対してアンカー（２）が往復並進運動するように、ローラー（６）とフォーク（５）が互いに相対的に配置されることを特徴としている。
2015502546.tif 000002
【特許請求の範囲】
【請求項１】
がんぎ車（１）と、
本体（２ａ）を含んでいる脱進機パレット（２）と、
前記本体（２ａ）に固定されるフォーク（５）と、を備える時計用の脱進機構であって、
前記本体（２ａ）は、前記がんぎ車（１）と協働するようにされたつめ石（３、３’、４、４’）を含み、前記本体（２ａ）は、前記がんぎ車（１）を配置するための内部空間（１１）を画定することを可能にする形状を有し、前記つめ石（３、３’、４、４’）は、一方で２つの停止つめ石（３、３’）を備えるとともに、他方で２つの衝撃つめ石（４、４’）を備え、前記内部空間（１１）に突出し、前記機構は、調速機に固定されたプレート（６）のピン（７）を含み、
前記プレート（６）および前記フォーク（５）は、ピン（７）がフォーク（５）と連係するときに、前記脱進機パレット（２）が前記調速機に近づいたり離れたりすることを可能にする方向に、前記脱進機パレット（２）が往復並進運動するようにに、互いに相対的に配置されることを特徴とする、脱進機構。
【請求項２】
前記並進運動がフォーク（５）の開口に対して垂直な方向Ｔに生じることを特徴とする、請求項１に記載された脱進機構。
【請求項３】
前記プレート（６）が、前記がんぎ車（１）の回転軸に平行な回転軸（８）を有し、往復回転運動をするピン（７）が、前記フォーク（５）の入力ホーン（５ａ）および出力ホーン（５ｂ）と協働するようになっていることを特徴とする、請求項２に記載された脱進機構。
【請求項４】
前記衝撃つめ石（４、４’）が、前記停止つめ石（３、３’）と同様に、中央軸線に対して対称形であり、かつ、前記本体（２ａ）によって画定された前記内部空間（１１）の延長平面に垂直になっていることを特徴とする、請求項１乃至請求項３のいずれか一項に記載された脱進機構。
【請求項５】
前記停止つめ石（３、３’）が、前記がんぎ車（１）の歯（１２）のいわゆる肩の位置決めをさせるか、又は、前記脱進機パレット（２）の移動を制限する固定バンキングによる位置決めをさせる形状を有することを特徴とする、請求項１乃至請求項４のいずれか一項に記載された脱進機構。
【請求項６】
各停止つめ石（３、３’）が、自由端のほうから、衝撃突出部（１５）と、衝撃面（１６）と、停止突出部（１７）と、停止面（１８）と、戻り面（１９）と、を有することを特徴とする、請求項５に記載された脱進機構。
【請求項７】
前記がんぎ車（１）の回転方向の反対方向に実質的に屈曲した形状を提供するように、
各衝撃つめ石（４、４’）が、自由端のほうから、衝撃突出部（２０）と、衝撃面（２１）と、第１の追加面（２２）と、第２の追加面（２３）と、を有することを特徴とする、請求項１乃至請求項６のいずれか一項に記載された脱進機構。
【請求項８】
前記がんぎ車（１）の前記歯（１２）の前記突出部（１３）および前記衝撃面（１４）を接触することなく収納できるように、
各衝撃つめ石（４、４’）が、前記衝撃面（２０）から上流に伸びるザグリ（２４）を備えることを特徴とする、請求項７に記載された脱進機構。
【請求項９】
前記本体（２ａ）は、２つの実質的に直線の中央部分（９）と前記中央部分（９）の両端における１つの実質的に円形の部分（１０）とを有する実質的に環状の部分であり、
これにより、がんぎ車（１）の中心（１ａ）を通過する並進方向Ｔと合成される大きい軸を有する内部空間（１１）の幾何学的形状を画定し、前記つめ石（３、３’、４、４’）は、それぞれ、前記中央部分（９）と実質的に円形の部分（１０）の間の遷移領域に配置されることを特徴とする、請求項１乃至請求項８のいずれか一項に記載された脱進機構。
【請求項１０】
前記脱進機パレット（２）の往復並進運動を介して、繰り返しの脱進サイクルを実施することを可能にする脱進機構であって、
各脱進サイクルは、停止段階と、解除段階と、停止つめ石（３、３’）への衝撃段階と、衝撃つめ石（４、４’）への補充衝撃段階と、新しい停止段階の前の前記がんぎ車（１）の降下段階と、を有し、
前記複数の段階は、並進行程における前記脱進機パレット（２）の特定の位置に対応していることを特徴とする、請求項１乃至請求項９のいずれか一項に記載された脱進機構。
【請求項１１】
前記がんぎ車（１）の各歯（１２）は、その自由端において、前記衝撃段階の間に、停止つめ石（３）の衝撃面（１６）に作用する突出部（１３）と、前記補充衝撃段階の間に、衝撃つめ石（４）の衝撃面（２１）に作用する衝撃面（１４）と、を備えることを特徴とする、請求項１０に記載された脱進機構。
【請求項１２】
停止期間の間に、前記がんぎ車（１９）の歯（１２）の前記突出部（１３）および前記衝撃面（１４）が、接触することなく、別の歯（１２）が当接する停止つめ石（３）の前に、衝撃つめ石（４）のザグリ（２４）と噛み合うことを特徴とする請求項８および請求項１０に記載された脱進機構。
【請求項１３】
前記本体（２ａ）と、前記本体（２ａ）と棒（２ｃ）によって接続されている前記フォーク（５）と、前記停止つめ石（３、３’）と、前記衝撃つめ石（４、４’）と、が１つの部品として繋がっていることを特徴とする、請求項１乃至請求項１２のいずれか一項に記載された脱進機構。
【請求項１４】
前記衝撃つめ石（４、４’）の前記衝撃面（２１）は、前記歯（１２）の支持面が前記脱進機パレット（２）の並進方向にできる限り近づくように、方向付けられていることを特徴とする、請求項７に記載された脱進機構。
【請求項１５】
請求項１乃至請求項１４のいずれか１項に記載された少なくとも１つの脱進機構を含む時計。
【発明の詳細な説明】
【技術分野】
【０００１】
本発明は、時計製作法の一般の発明の技術分野、特に脱進機システムの発明の技術分野に関するものである。特に本発明は、機械式腕時計の自由脱進機システムに関するものであり、より一般的にいえば、単一方向に運動するディスクから往復運動するディスクへとエネルギーを移動するどのようなシステムであってもよい。
【０００２】
この種の脱進機システムは、一般に、ぜんまい箱（バレル）によって供給され、歯車列によって減らされる、準一定のトルクを受けるがんぎ車を備えている。脱進機システムは、さらに、がんぎ車によって所定方向に提供されるエネルギーを、交互に一方向から他方向に、プレートに分配するのに役立つ脱進機パレットも備えている。機械式腕時計の場合、この種のプレートは、ぜんまいテンプに自転するように固定される。
【背景技術】
【０００３】
脱進機システムは、公知であり、従ってこの文書では詳述しない。これらのシステムは、一組の構成部品を含んでおり、特に、一方では、少なくとも１つの駆動機関の機能によって回転するようにされ、他方では、少なくとも１つの調速機とともに機械的に協働するようにされる、少なくとも１つのがんぎ車を含んでおり、その振動を維持するために周期的にエネルギーをそれに伝えるようにされている。
【０００４】
典型的には、がんぎ車は、ハブと、歯を備えている外縁と、ハブを外縁に堅く接続している接続アームとを備えている。
【０００５】
最も広範囲にわたる脱進機構は、特にその信頼性に起因して、スイスのレバー脱進機である。
【０００６】
ミリー兄弟による歯止め脱進機構が公知である。この歯止め脱進機構の脱進歯止めは、本体を接続する棒、支持面つめ石をフォークに接続している。この種の脱進機構は、例えば、欧州特許出願公開第１９６７９１９号明細書に記載されている。棒は、がんぎ車の軸に平行な固定軸のまわりを旋回する。この種の脱進機構が、適切に動作しないことは広く公知である。実際、この脱進機構は、高い操作の安全性を備えてはおらず、停止、衝撃および降下の間の遷移は十分には規定されていない。それは非常に大きく、その構造は強い慣性モーメントを与える。
【発明の概要】
【０００７】
本発明は、改良型の脱進機構を提供することを目的とする。そして、脱進機システムの効率を上昇させることを可能にする。
【０００８】
他の本発明の目的は、単純で、信頼性が高く、かつ、コンパクトな脱進機構を提供することである。
【０００９】
そのために、そして、本発明によると、時計用の脱進機構が提案される。脱進機構は、がんぎ車と、本体を含んでいる脱進機パレットと、前記本体に固定されるフォークと、を備える時計用の脱進機構である。前記本体は、前記がんぎ車と協働するようにされたつめ石を含み、前記本体は、前記がんぎ車を配置するための内部空間を画定することを可能にする形状を有し、前記つめ石は、一方で２つの停止つめ石を備えるとともに、他方で２つの衝撃つめ石を備え、前記内部空間に突出し、前記機構は、調速機に固定されたプレートのピンを含み、前記プレートおよび前記フォークは、ピンがフォークと連係するときに、前記脱進機パレットが前記調速機に近づいたり離れたりすることを可能にする方向に、前記脱進機パレットが往復並進運動するように、互いに相対的に配置されることを特徴とする。
【００１０】
本発明の１つの例示の実施例によれば、前記並進運動はフォークの開口に対して垂直な方向Ｔに生じる。
【００１１】
本発明の１つの例示の実施例によれば、前記プレートが、前記がんぎ車の回転軸に平行な回転軸を有し、往復回転運動をするピンが、前記フォークの入力ホーンおよび出力ホーンと協働するようになっている。
【００１２】
衝撃つめ石と停止つめ石は、異なる形状となっている。
【００１３】
本発明の１つの例示の実施例によれば、前記衝撃つめ石が、前記停止つめ石と同様に、中央軸線に対して対称形であり、かつ、前記本体によって画定された前記内部空間の延長平面に垂直になっている。
【００１４】
本発明の１つの例示の実施例によれば、前記停止つめ石が、前記がんぎ車の歯のいわゆる肩の位置決めをさせるか、又は、前記脱進機パレットの移動を制限する固定バンキングによる位置決めをさせる形状を有する。
【００１５】
本発明の１つの例示の実施例によれば、各停止つめ石が、自由端のほうから、衝撃突出部と、衝撃面と、停止突出部と、停止面と、戻り面と、を有する。
【００１６】
本発明の１つの例示の実施例によれば、前記がんぎ車の回転方向の反対方向に実質的に屈曲した形状を提供するように、各衝撃つめ石が、自由端のほうから、衝撃突出部と、衝撃面と、第１の追加面と、第２の追加面と、を有する。
【００１７】
本発明の１つの例示の実施例によれば、前記がんぎ車の前記歯の前記突出部および前記衝撃面を接触することなく収納できるように、各衝撃つめ石は、前記衝撃面から上流に伸びるザグリを備える。
【００１８】
本発明の１つの例示の実施例によれば、前記本体は、２つの実質的に直線の中央部分と前記中央部分の両端における１つの実質的に円形の部分とを有する実質的に環状の部分であり、これにより、がんぎ車の中心を通過する並進方向Ｔと合成される大きい軸を有する内部空間の幾何学的形状を画定し、前記つめ石は、それぞれ、前記中央部分と実質的に円形の部分の間の遷移領域に配置される。
【００１９】
本発明の１つの例示の実施例によれば、前記脱進機パレットの往復並進運動を介して、繰り返しの脱進サイクルを実施することを可能にする脱進機構であって、各脱進サイクルは、停止段階と、解除段階と、停止つめ石への衝撃段階と、衝撃つめ石への補充衝撃段階と、新しい停止段階の前の前記がんぎ車の降下段階と、を有し、前記複数の段階は、並進行程における前記脱進機パレットの特定の位置に対応している。
【００２０】
本発明の１つの例示の実施例によれば、前記がんぎ車の各歯は、その自由端において、前記衝撃段階の間に、停止つめ石の衝撃面に作用する突出部と、前記補充衝撃段階の間に、衝撃つめ石の衝撃面に作用する衝撃面と、を備える。
【００２１】
本発明の１つの例示の実施例によれば、停止段階の間に、前記がんぎ車の歯の前記突出部および前記衝撃面が、接触することなく、別の歯が当接する停止つめ石の前に、衝撃つめ石のザグリと噛み合う。
【００２２】
本発明の１つの例示の実施例によれば、前記本体と、前記本体と棒によって接続されている前記フォークと、前記停止つめ石と、前記衝撃つめ石と、が１つの部品として繋がっている。
【００２３】
本発明の１つの例示の実施例によれば、例えばつめ石を製作するためにルビーを使用し、本体を製作するために鋼を使用するなど、部材または構成要素を製作するために異なる材料を用いることができる。
【００２４】
本発明の１つの例示の実施例によれば、前記衝撃つめ石の前記衝撃面は、前記歯の支持面が前記脱進機パレットの並進方向にできる限り近づくように、方向付けられている。
【００２５】
本発明は、本発明による、少なくとも一つの脱進機構を含む時計にも関する。
【００２６】
本発明による脱進機構は、がんぎ車と脱進機の歯止めの間でのエネルギー伝達を改善することを可能にする。
【００２７】
本発明による脱進機構は、歯の数が減少することで、降下行程を維持しつつも衝撃行程を増加することを可能にする。これによって、結果として伝達したエネルギーを均等に増加させることになる。
【００２８】
本発明による脱進機構は、歯止めの移動方向に近い方向の力によって、がんぎ車から歯止めへのエネルギーの伝達を可能にする。これによって、摩擦によるエネルギー損失を最小化する。
【００２９】
本発明による脱進機構の他の利点は、それがスイスのレバー脱進機構と同程度に安全に動作するという事実である。
【００３０】
本発明による脱進機構の他の利点は、脱進機パレットの所定方向の往復並進運動にある。これによって、がんぎ車に相互作用するつめ石において、完璧に対象な脱進機パレットを作り出すことが可能となる。
【図面の簡単な説明】
【００３１】
本発明の他の特徴は、以下の説明を添付の図面とともに読むことで、いっそう明らかになるだろう。図面は、非限定的な例示として提供されるものである。
【図１】第一の停止段階の間における、本発明の脱進機構の例示の実施例である。
【図２】図１の脱進機構のＡの拡大図である。
【図３】図１の脱進機構のＢの拡大図である。
【図４】図１の脱進機構のＤの拡大図である。
【図５】解除段階の初めにおける、本発明による脱進機構である。
【図６】図５の脱進機構のＡの拡大図である。
【図７】図５の脱進機構のＢの拡大図である。
【図８】図５の脱進機構のＣの拡大図である。
【図９】解除段階の間における、本発明による脱進機構である。
【図１０】図９の脱進機構のＡの拡大図である。
【図１１】図９の脱進機構のＢの拡大図である。
【図１２】図９の脱進機構のＣの拡大図である。
【図１３】第一の衝撃段階の間における、本発明による脱進機構である。
【図１４】図１３の脱進機構のＡの拡大図である。
【図１５】図１３の脱進機構のＢの拡大図である。
【図１６】図１３の脱進機構のＣの拡大図である。
【図１７】第二の衝撃段階の間における、本発明による脱進機構である。
【図１８】図１７の脱進機構のＡの拡大図である。
【図１９】図１７の脱進機構のＣの拡大図である。
【図２０】第二の停止段階の間における、本発明による脱進機構である。
【図２１】図２０の脱進機構のＡの拡大図である。
【図２２】図２０の脱進機構のＣの拡大図である。
【図２３】第二の衝撃段階の間における、本発明の脱進機構の例示の別実施例である。
【図２４】停止段階の間における、本発明による脱進機構の別の実施例である。
【図２５】図２４の脱進機構のＡの拡大図である。
【発明を実施するための形態】
【００３２】
異なる図面に存在する、構造的・機能的に同じ要素は、同じ数字または英数字の参照符号を与えられる。
【００３３】
図１は、第一の停止段階における、本発明による脱進機構の実施例を示す。脱進機構は、軸１ａの周りを方向Ｒに回転するがんぎ車１と、脱進機パレット２と、を備える。がんぎ車１は、好ましくは奇数の歯を含む。例えば、その数は、７又は１１に等しい。
【００３４】
脱進機パレット２は、２つの停止つめ石３、３’および２つの衝撃つめ石４、４’を有する本体２ａを備える。脱進機パレット２は、末端にフォーク５が付いている棒２ｂをも含む。
【００３５】
脱進機構は、外縁にピン７を有するプレート６をも備えている。プレート６は、回転軸８の周りを往復運動するように旋回する。
【００３６】
例えば、本体２ａは、２つの実質的に直線の中央部分９および前記中央部分の両端の実質的に円形の部分１０を含んでいる実質的に環状の部分である。これにより、例えば、がんぎ車１の中心と、フォーク５及びピン７の間の協働ゾーンを通過する並進方向Ｔと平行な、又は調和された大きい軸を有する内部空間１１を有する幾何学的形状を画定する。
【００３７】
停止つめ石３、３’の各々および衝撃つめ石の各々は、好ましくは実質的に直線の中央部分９と実質的に円形の部分１０の間の遷移ゾーンに配置される。
【００３８】
本発明による脱進機構の他の例示の実施例によれば、衝撃つめ石は実質的に直線の中央部分９に配置される。そして、停止つめ石は実質的に円形の部分１０に配置される。
【００３９】
本体２ａは、がんぎ車１が配置される内部空間１１を限定することができるような形状となっている。２個の停止つめ石３、３’および２個の衝撃つめ石４、４’は、内部空間１１に突出する。
【００４０】
ピン７がフォーク５と協働すると、脱進機パレット２がＴ方向の往復並進運動をするように、プレート６およびフォーク５は相対的に配置される。
【００４１】
フォーク５は、例えば、並進方向Ｔと実質的に平行な方向に伸びる棒２ｂの端部に配置される。フォーク５は、前記並進方向Ｔと直交する入力ホーン５ａおよび出力ホーン５ｂを備える。
【００４２】
プレート６の回転軸８は、好ましくは、がんぎ車１の中心１ａを通過している本体２ａの並進方向Ｔと相対的にオフセットされる。ピン７が往復旋回運動をし、かつ、入力ホーン５ａおよび出力ホーン５ｂと協働するように、フォーク５は、前記がんぎ車１の中心１ａを通過している本体２ａの前記並進方向Ｔと相対的に反対方向にオフセットされる。
【００４３】
本発明による機構の別の実施例のように、フォーク５は、歯止め２において他のいかなる位置にも配置されることができる。その後、プレート６の位置決めは、それに応じて適合される。
【００４４】
がんぎ車１は、例えば、７つの歯１２を含む。その例示の実施例が、図２に拡大して図示される。各歯１２は、各歯１２は、回転方向Ｒと同一方向に曲がった端部を有する。曲がった端部は、突出部１３と衝撃面１４とを有する。
【００４５】
停止つめ石３、３’（１つの例示の実施例が図３に拡大されて図示される）は、それぞれ、自由端から始まって、衝撃突出部１５、衝撃面１６、停止突出部１７、停止面１８および戻り面１９を含む。
【００４６】
衝撃つめ石４、４’（１つの例示の実施例が図４に拡大されて図示される）は、ザグリ（countersink）２４を画定して実質的に曲がった形状となるように、それぞれ、自由端から始まって、衝撃突出部２０、衝撃面２１、第１の追加面２２、および、第２の追加面２３を含む。衝撃つめ石４、４’は、がんぎ車１の回転方向Ｒの反対方向に曲げられる。第１の追加面２２は、衝撃面２１を第２の追加面２３に接続する。
【００４７】
したがって、例として、衝撃つめ石４、４’および停止つめ石３、３’は、好ましくは異なる形状を有する。
【００４８】
停止つめ石３、３’の衝撃面は、並進方向Ｔと平行な方向にできる限り近くなるような好ましい方向に向けられる。衝撃つめ石４、４’の衝撃面は、並進方向Ｔと直交する方向にできる限り近くなるような好ましい方向に向けられる。
【００４９】
図１に図示される停止段階において、歯１２は停止つめ石３を押圧している。安定かつ正確な位置に、がんぎ車１および脱進機パレット２がブロックされるように、戻り面１９および停止面１８は傾けられる。安定かつ正確な位置では、突出部１３は、停止つめ石３の停止面１８と戻り面１９の交点に位置付けられる。いわゆる「肩」の位置は、このようにして決められる。
【００５０】
停止段階において、プレート６（ぜんまいテンプにしっかり固定される）は、自由に振り子運動する。この停止段階において、別の歯１２は、いかなる点でも脱進機パレット２と接触せずに、衝撃つめ石４のザグリ２４に収納される。
【００５１】
図５は、解除段階の初めにおける、本発明による脱進機構を示す。図６、図７および図８は、解除段階の初めの間での、脱進機システムのＡ、ＢおよびＣを拡大して示す。
【００５２】
解除段階の初めは、プレート６のピン７が脱進機パレット２のフォーク５へ入ることに対応している。例えば、図６を参照することができる。脱進機パレット２およびがんぎ車１は、解除段階の間に、停止位置から引き抜かれる。この解除段階の間、歯１２の突出部１３は、前記停止つめ石３の停止突出部１７の到達するまで、停止つめ石３の停止面１８に作用する。
【００５３】
解除段階の間に、後退運動を前記がんぎ車１に与えることによって、脱進機パレット２によってがんぎ車１のトルクに対処するために、ぜんまいテンプは、充分なエネルギーを供給する。この解除段階の間、他の歯１２は、それと接触することなく、衝撃つめ石４の第２の追加面２３に追随する。
【００５４】
図９は、解除段階の間での、本発明による脱進機システムを図示する。そして、図１０、図１１および図１２は、その解除段階の間での、脱進機システムのＡ、ＢおよびＣを拡大して図示する。
【００５５】
図１３は、第１の衝撃段階の間での、本発明による脱進機システムを例示する。そして、図１４、図１５および図１６は、その第１の衝撃段階の間での、脱進機システムのＡ、ＢおよびＣを拡大して図示する。
【００５６】
歯１２の突出部１３が、停止つめ石３の停止突出部１７にいったん到達すると、つめ石３のがんぎ車１は、駆動して、脱進機パレット２およびプレート６を介して、ぜんまいテンプに振動を維持するのに必要なエネルギーを供給する。このエネルギーは、もちろん、解除段階の間に持ち出されるエネルギーよりも大きい。
【００５７】
この第１の衝撃段階の間、歯１２の突出部１３は、停止つめ石３の衝撃面１６に作用する。衝撃面上の歯１２の圧力角は重要で、停止つめ石上の前記歯１２の衝撃行程は、最小化されるものの、他の歯１２が衝撃つめ石４上に引き受けるには充分である。
【００５８】
停止つめ石３上のこの第１の衝撃段階の間、他の歯１２が衝撃つめ石４の第１の追加面２２に沿って衝撃つめ石４に接近する。歯１２の突出部１３が、一旦、停止つめ石３を離れると、接触が行われる。その後、第二の衝撃段階となる。
【００５９】
図１７は、第２の衝撃段階の間における、本発明による脱進機システムを図示する。そして、図１８および図１９は、この第２の衝撃段階の間における、脱進機システムのＡおよびＣを拡大して図示する。
【００６０】
この第２の衝撃段階の間、衝撃は、衝撃つめ石４の衝撃面２１上に、他の歯１２の衝撃面支持面１４によってもたらされる。例えば、図１９を参照することができる。別の歯１２の突出部１３が衝撃突出部２０において衝撃つめ石４から離れるまで、この支持面は生じる。図１７および図１８も、ピン７とフォーク５の間の協力を図示する。
【００６１】
ぜんまいテンプへの脱進機パレット２０からの押付けが次に遮断され、そして、プレート６が、次の脱進作用に先立ってその運動を自由に継続する。この結果として降下段階になる。降下段階は、がんぎ車１（瞬間的に自由である）が、別の歯１２の支持面が他の停止つめ石３’に接した状態で、その移動を終了する。その後、他の停止段階がある。
【００６２】
図２０は、停止段階の間における、本発明による脱進機構を図示する。そして、図２１および図２２は、その第２の停止段階の間における、脱進機システムのＡおよびＣを拡大して図示する。
【００６３】
図２３は、第２の衝撃段階における、本発明による脱進機システムの他の例示の実施例を図示する。この例示の実施例において、がんぎ車１は、１１個の歯１２を含む。本発明による脱進機構は、好ましくは、ブレスレット腕時計または他のタイプの内で、時計に内蔵される。
【００６４】
さらに、本体２ａは、時計、箱またはプラテンのフレームに固定される支持点に接して脱進機パレット２の摺動を案内することを支援する直線部分２ｃを備えている。
【００６５】
したがって、脱進機構は、時計のフレームに固定される支持部材と協働するように調整される、本体２ａの摺動を案内する手段を備える。
【００６６】
時計は、例えば、その往復並進運動の間に、本体２ａの摺動を案内するための手段と協働するように調整されるフレームに固定される支持部材を備える。
【００６７】
本発明による脱進機構の別の例示の実施例によると、図２４に示すように、肩の位置決めは、停止位置において脱進機パレット２の重みがかかる、プラテンに固定された固定バンキング２ｄおよび２ｅを用いる位置決め手法によって置換される。そのような例示の実施例では、停止面１８は、戻り面を置換するために延長される。歯止め２の正確な位置決めは、次に、バンキング２ｄ、２ｅによって確実にされるのであり、戻り面と停止面の交点に位置する突出部１３によってではない。例えば、図２４および図２５を参照することができる。
【００６８】
１つの好適な例示の実施例によれば、本発明による脱進機構は、抗反転システムを備える。このように、スイスレバー脱進機構の様に、フォーク５は、プレート６に固定された小プレート（不図示）の切欠きと協働するように設計されたダーツ（不図示）を備える。
【００６９】
本発明は、もちろん、明確に記載されている例に限定されるものではなく、また、他の実施例および／または実施態様を備える。記載されている技術的特徴は、したがって、本発明の範囲を越えることなく、等価な技術的特徴と置換することが可能である。
【図１】
2015502546.tif 000003
【図２】
2015502546.tif 000004
【図３】
2015502546.tif 000005
【図４】
2015502546.tif 000006
【図５】
2015502546.tif 000007
【図６】
2015502546.tif 000008
【図７】
2015502546.tif 000009
【図８】
2015502546.tif 000010
【図９】
2015502546.tif 000011
【図１０】
2015502546.tif 000012
【図１１】
2015502546.tif 000013
【図１２】
2015502546.tif 000014
【図１３】
2015502546.tif 000015
【図１４】
2015502546.tif 000016
【図１５】
2015502546.tif 000017
【図１６】
2015502546.tif 000018
【図１７】
2015502546.tif 000019
【図１８】
2015502546.tif 000020
【図１９】
2015502546.tif 000021
【図２０】
2015502546.tif 000022
【図２１】
2015502546.tif 000023
【図２２】
2015502546.tif 000024
【図２３】
2015502546.tif 000025
【図２４】
2015502546.tif 000026
【図２５】
2015502546.tif 000027
【国際調査報告】
2015502546.tif 000028
2015502546.tif 000029
2015502546.tif 000030
2015502546.tif 000031